(57)【特許請求の範囲】
【請求項１】
制御スイッチを備え制御スイッチ毎に固有のアドレスが設定される操作端末器と、負荷が接続され負荷毎に固有のアドレスが設定される制御端末器と、操作端末器及び制御端末器が分岐接続された信号線を介して操作端末器及び制御端末器との間で時分割多重伝送方式により伝送信号を授受し、制御スイッチが操作されたときに操作端末器から受け取る監視データに基いて負荷を制御する制御データを生成するとともに、操作された制御スイッチに対し予め設定された関係データによって関係付けられた負荷を接続した制御端末器に対して制御データを伝送する伝送制御装置とを備える遠隔監視制御システムに用いられる操作端末器であって、
それぞれ前方からの押力を受ける押釦ハンドル部を有する複数個の制御スイッチと、
信号線に接続され伝送制御装置に対して監視データを送信する通信部と、
いずれかの制御スイッチにおいて押釦ハンドル部が押操作されたときに該制御スイッチに設定されたアドレスの情報を含む監視データを生成し通信部を制御して該監視データを伝送制御装置へ送信させる制御部と、
制御スイッチに一対一に対応して設けられそれぞれ対応する制御スイッチに関係データによって関係付けられた負荷がオン状態であるときに発光するように制御部によって制御される複数個のオン発光部と、
制御スイッチに一対一に対応して設けられそれぞれ対応する制御スイッチに関係データによって関係付けられた負荷がオフ状態であるときに発光するように制御部によって制御される複数個のオフ発光部とを備え、
制御部を収納して各制御スイッチと通信部と各オン発光部と各オフ発光部とをそれぞれ保持するとともに施工面に対して固定されるハウジングとを備え、
制御スイッチのうち少なくとも半数は上下方向に並べて配置され、
各オン発光部は、それぞれ、同じ制御スイッチに対応するオフ発光部との間で対応する制御スイッチの押釦ハンドル部を前方から見て左右から挟む形で配置されていて、
各発光部の前面が、それぞれ、対応する制御スイッチの押釦ハンドル部の前面よりも前方に突出していることを特徴とする操作端末器。
【請求項２】
制御スイッチは８個であって、上下方向に４列並べ、左右方向に２列並べて設けられていることを特徴とする請求項１記載の操作端末器。
【発明の詳細な説明】
【技術分野】
【０００１】
本発明は、遠隔監視制御システムに用いられる操作端末器に関するものである。
【背景技術】
【０００２】
従来から、時分割多重伝送信号を用いた遠隔監視制御システムが提供されている（例えば、特許文献１参照）。この種の遠隔監視制御システムの概略構成を図２８に示す。
【０００３】
この遠隔監視制御システムは、伝送制御装置ＣＵと、それぞれ２線式の信号線Ｌｓを介して伝送制御装置ＣＵに分岐接続された複数台（図２８では２台）の操作端末器１と複数台（図２８では２台）の制御端末器ＲＵとを備える。
【０００４】
各操作端末器１は、それぞれ前方からの押力により押操作される押釦ハンドル部５１を有する制御スイッチを少なくとも１個ずつ（図２８では４個ずつ）備える。
【０００５】
各制御端末器ＲＵは、それぞれ照明器具や換気扇などの負荷（図示せず）への給電路に挿入されたリレー（図示せず）を少なくとも１個ずつ有し、このリレーをオンオフ制御することによって負荷をオンオフ制御する。
【０００６】
各制御スイッチと各負荷（厳密には各リレー）とには、それぞれ個別のアドレスが設定されている。システム全体で使用可能なアドレスは、例えば０〜６３の番号が付された６４個のチャンネルに、それぞれ１〜４の番号が付された４回路ずつの計２５６個であって、チャンネル番号と回路番号とから例えば６３−３のように表される。
【０００７】
伝送制御装置ＣＵは信号線Ｌｓに対して、図２９（ａ）に示すフォーマットの伝送信号Ｖｓを送出する。すなわち、この伝送信号Ｖｓは信号送出開始を示す同期信号ＳＹ、伝送信号Ｖｓのモードを示すモードデータＭＤ、操作端末器１や制御端末器ＲＵを格別に呼び出すためのアドレスデータＡＤ、負荷を制御する制御データＣＤ、伝送誤りを検出するためのチェックサムデータＣＳ、操作端末器１や制御端末器ＲＵからの返信信号（監視データ）を受信するタイムスロットである信号返信機関ＷＴよりなる双極性（±２４Ｖ）の時分割多重信号であり、図２９（ｂ）のようなパルス幅変調によってデータが伝送されるようになっている。各操作端末器１及び各制御端末器ＲＵでは、信号線Ｌｓを介して受信した伝送信号Ｖｓにより伝送されたアドレスデータＡＤが予め設定されているアドレスに一致すると、伝送信号Ｖｓから制御データＣＤを取り込むとともに、伝送信号Ｖｓの信号返信期間ＷＴに監視データを電流モード信号（信号線Ｌｓを適当な低インピーダンスを介して短絡することにより送出される信号）として返信する。
【０００８】
伝送制御装置ＣＵから所望の操作端末器１や制御端末器ＲＵにデータを送出する場合には、モードデータＭＤを制御モードとし、操作端末器１または制御端末器ＲＵのアドレスをアドレスデータＡＤとする伝送信号Ｖｓを送出し、この伝送信号Ｖｓを信号線Ｌｓに送出すれば、アドレスデータＡＤに一致する操作端末器１または制御端末器ＲＵが制御データＣＤを受け取り、信号返信期間ＷＴに監視データを返信する。伝送制御装置ＣＵでは送出した制御データＣＤと信号返信期間ＷＴに受信した監視データとの関係によって制御データＣＤが所望の操作端末器１または制御端末器ＲＵに伝送されたことを確認する。制御端末器ＲＵは受け取った制御データＣＤに従って負荷Ｌを制御するための負荷制御信号を出力し、操作端末器１では受け取った制御データＣＤに従って負荷Ｌの動作確認表示を行なうための表示信号を出力する。
【０００９】
一方、伝送制御装置ＣＵは通常時にはモードデータＭＤをダミーモードとした伝送信号Ｖｓを一定時間間隔で送出している（常時ポーリングという）。この場合、ある制御端末器ＲＵに対してアクセスして、負荷状態を示す監視データの返信を要求し、これに対してアクセスされた制御端末器ＲＵからは接続している負荷状態を監視データとして伝送制御装置ＣＵに返信する。この返信を受け取った伝送制御装置ＣＵはこの制御端末器ＲＵに対応関係がある操作端末器１のアドレスをアクセスして対応する制御端末器ＲＵに接続されている負荷４の状態を表示させるための制御データＣＤを伝送制御装置から伝送する。
【００１０】
このようにして常時ポーリングでは制御端末器ＲＵとこの制御端末器ＲＵに対応関係を持つ操作端末器１のアドレスをアクセスする動作をサイクリックに繰り返している。
【００１１】
そして常時ポーリング下で、伝送制御装置ＣＵに対して何らかの情報を伝送しようとするときには、ダミーモードの伝送信号Ｖｓの同期信号ＳＹに同期させて図２９（ｃ）のような割込信号Ｖｉを発生させる。このとき、操作端末器１は割込フラグを設定して伝送制御装置ＣＵとの以後の情報授受に備える。伝送制御装置ＣＵでは割込信号Ｖｉを受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号Ｖｉを発生した操作端末器１では、割込ポーリングモードの伝送信号のアドレスデータＡＤの上位４ビットが操作端末器１に設定されているアドレスの上位４ビットに一致するときに、信号返信期間ＷＴにアドレスの下位４ビットを伝送制御装置ＣＵに返信する。このように、伝送制御装置ＣＵは割込信号Ｖｉを発生した操作端末器１を１６個ずつまとめて探すので、比較的短い時間で操作端末器１を発見することができる。
【００１２】
伝送制御装置ＣＵが割込信号Ｖｉを発生した操作端末器１のアドレスを獲得すると、モードデータＭＤを監視モードとし、獲得したアドレスデータＡＤを持つ伝送信号Ｖｓを信号線Ｌｓに送出するのであって、この伝送信号Ｖｓに対して操作端末器１は伝送しようとする情報を信号返信期間ＷＴに返信するのである。最後に、伝送制御装置ＣＵは割込信号Ｖｉを発生した操作端末器１に対して割込リセットを指示する信号を送出し、操作端末器１の割込フラグを解除する。以上のようにして、操作端末器１から伝送制御装置ＣＵへの情報伝送は、伝送制御装置ＣＵから操作端末器１への４回の信号伝送（ダミーモード、割込ポーリングモード、監視モード、割込リセット）によって完了する。伝送制御装置ＣＵが所望の制御端末器ＲＵの動作状態を知ろうとするときには、モードデータＭＤを監視モードとした伝送信号を送出するだけでよい。
【００１３】
そして、いずれかの制御スイッチにおいて押釦ハンドル部５１が押操作されると、操作端末器１は、押釦ハンドル部５１を押操作された制御スイッチに設定されたアドレスの情報を含む監視データを伝送制御装置ＣＵに返信し、伝送制御装置ＣＵは、この監視データに基づいて生成した制御データＣＤを含む伝送信号Ｖｓを制御端末器ＲＵに伝送し、制御端末器ＲＵは、伝送された伝送信号Ｖｓ中の制御データＣＤに応じて負荷を制御する。また、負荷を制御した制御端末器ＲＵは、監視データを伝送制御装置ＣＵに返信し、伝送制御装置ＣＵは、返信された監視データを基に動作状態表示のための制御データＣＤを含む伝送信号Ｖｓを生成して操作端末器１に伝送する。この伝送信号Ｖｓによって操作端末器１では負荷の動作状態を表示する発光部を点灯・消灯させる。発光部は、例えば発光ダイオードのような発光素子（図示せず）と、透光性を有する材料からなり図３０〜図３２に示すように操作端末器１の前面に露出し上記の発光素子の光を前方へ出射させる導光部４１とを有する。
【００１４】
操作端末器１としては、図３０に示すように制御スイッチ（押釦ハンドル部５１）毎に発光部（導光部４１）を１個ずつ有するものの他、図３１や図３２に示すように、制御スイッチ（押釦ハンドル部５１）毎に発光部（導光部４１）を２個ずつ有するものもある。２個の発光部は、負荷がオン状態である期間には一方（例えば、図３１の例では上側、図３２の例では右側）の発光部を発光させ、負荷がオフ状態である期間には他方（例えば、図３１の例では上側、図３２の例では左側）の発光部を発光させるといったように、互いに異なる動作状態で発光する。
【００１５】
また、図３１や図３２の操作端末器１の前面には、制御スイッチのアドレスを設定するためのアドレス設定器（図示せず）からの光信号が入力される信号用窓部６２ｂが設けられている。
【特許文献１】特開平１１−００８９５０号公報
【発明の開示】
【発明が解決しようとする課題】
【００１６】
ここで、図３１や図３２のように発光部を２個設ける場合、例えば負荷のオン状態で発光する発光部の光色は赤色とし、負荷のオフ状態で発光する発光部の光色は緑色とするといったように、互いに異なる動作状態で発光する発光部間では光色を互いに異ならせるのが一般的である。しかしながら、色覚異常の人にとっては上記のような光色の識別は困難な場合があり、特に、図３１の例のように互いに同じ制御スイッチ（押釦ハンドル部５１）に対応する２個の発光部（導光部４１）が互いに近接配置されている場合には、負荷の動作状態の識別が困難となるという問題があった。
【００１７】
また、図３２の例のように互いに同じ制御スイッチ（押釦ハンドル部５１）に対応する２個の発光部（導光部４１）の距離を開けていれば上記の問題は緩和されるが、図３２の例では、４個の制御スイッチが並ぶ方向と、各発光部がそれぞれ対応する制御スイッチに対して並ぶ方向とが、ともに上下方向であるために、制御スイッチと発光部との対応関係が分かりづらくなっていた。つまり、例えば図３２の例における上から２番目の発光部（導光部４１）のように、前方から見て上下を制御スイッチ（押釦ハンドル部５１）に挟まれた発光部が、上側の制御スイッチに対応しているのか下側の制御スイッチに対応しているのかが一見して分かりづらかった。
【００１８】
本発明は、上記事由に鑑みて為されたものであり、その目的は、色覚異常の人に対しても視認性の向上が可能であって、且つ、発光部と制御スイッチとの対応関係が分かり易い操作端末器を提供することにある。
【課題を解決するための手段】
【００１９】
請求項１の発明は、制御スイッチを備え制御スイッチ毎に固有のアドレスが設定される操作端末器と、負荷が接続され負荷毎に固有のアドレスが設定される制御端末器と、操作端末器及び制御端末器が分岐接続された信号線を介して操作端末器及び制御端末器との間で時分割多重伝送方式により伝送信号を授受し、制御スイッチが操作されたときに操作端末器から受け取る監視データに基いて負荷を制御する制御データを生成するとともに、操作された制御スイッチに対し予め設定された関係データによって関係付けられた負荷を接続した制御端末器に対して制御データを伝送する伝送制御装置とを備える遠隔監視制御システムに用いられる操作端末器であって、それぞれ前方からの押力を受ける押釦ハンドル部を有する複数個の制御スイッチと、信号線に接続され伝送制御装置に対して監視データを送信する通信部と、いずれかの制御スイッチにおいて押釦ハンドル部が押操作されたときに該制御スイッチに設定されたアドレスの情報を含む監視データを生成し通信部を制御して該監視データを伝送制御装置へ送信させる制御部と、制御スイッチに一対一に対応して設けられそれぞれ対応する制御スイッチに関係データによって関係付けられた負荷がオン状態であるときに発光するように制御部によって制御される複数個のオン発光部と、制御スイッチに一対一に対応して設けられそれぞれ対応する制御スイッチに関係データによって関係付けられた負荷がオフ状態であるときに発光するように制御部によって制御される複数個のオフ発光部とを備え、制御部を収納して各制御スイッチと通信部と各オン発光部と各オフ発光部とをそれぞれ保持するとともに施工面に対して固定されるハウジングとを備え、制御スイッチのうち少なくとも半数は上下方向に並べて配置され、各オン発光部は、それぞれ、同じ制御スイッチに対応するオフ発光部との間で対応する制御スイッチの押釦ハンドル部を前方から見て左右から挟む形で配置されていて、各発光部の前面が、それぞれ、対応する制御スイッチの押釦ハンドル部の前面よりも前方に突出していることを特徴とする。
【００２０】
この発明によれば、オン発光部とオフ発光部とを制御スイッチの互いに同じ側に配置する場合に比べてオン発光部とオフ発光部との間の距離を大きくすることができ、オン発光部とオフ発光部とを発光色によって区別する必要がないから、色覚異常の人に対しても視認性の向上が可能となる。また、各発光部をそれぞれ対応する制御スイッチに対して上下方向に並ぶ位置に配置する場合に比べ、発光部と制御スイッチとの対応関係が分かり易くなる。また、押釦ハンドル部よりも大きな物体が前方から押し当てられることによる制御スイッチの誤操作が、発光部によって防止される。
【００２３】
請求項２の発明は、請求項１の発明において、制御スイッチは８個であって、上下方向に４列並べ、左右方向に２列並べて設けられていることを特徴とする。
【００２４】
この発明によれば、制御スイッチを直線状に８個並べて設ける場合に比べ、制御スイッチ間の間隔を大きくとって誤操作を抑制することができる。
【発明の効果】
【００２５】
請求項１の発明によれば、各オン発光部は、それぞれ、同じ制御スイッチに対応するオフ発光部との間で対応する制御スイッチの押釦ハンドル部を前方から見て左右から挟む形で配置されているので、オン発光部とオフ発光部とを制御スイッチの互いに同じ側に配置する場合に比べてオン発光部とオフ発光部との間の距離を大きくすることができ、オン発光部とオフ発光部とを発光色によって区別する必要がないから、色覚異常の人に対しても視認性の向上が可能となる。また、各発光部をそれぞれ対応する制御スイッチに対して上下方向に並ぶ位置に配置する場合に比べ、発光部と制御スイッチとの対応関係が分かり易くなる。さらに、各発光部の前面が、それぞれ、対応する制御スイッチの押釦ハンドル部の前面よりも前方に突出しているので、押釦ハンドル部よりも大きな物体が前方から押し当てられることによる制御スイッチの誤操作が、発光部によって防止される。
【００２７】
請求項２の発明によれば、制御スイッチは８個であって、上下方向に４列並べ、左右方向に２列並べて設けられているので、制御スイッチを直線状に８個並べて設ける場合に比べ、制御スイッチ間の間隔を大きくとって誤操作を抑制することができる。
【発明を実施するための最良の形態】
【００２８】
以下、本発明を実施するための最良の形態について、図面を参照しながら説明する。
【００２９】
本実施形態は、図２８及び図２９（ａ）〜（ｃ）を用いて説明した遠隔監視制御システムにおいて信号線Ｌｓに接続して用いられる操作端末器であって、図１〜図３に示すように、信号線Ｌｓに接続されて伝送信号Ｖｓの受信並びに割込信号Ｖｉや監視データの送信を行う通信部１１と、それぞれ押釦スイッチからなり個別にアドレスが設定され後述する押釦ハンドル部５１のうちの１個ずつとともに制御スイッチを構成する８個のスイッチ本体２１（図２には１個のみ図示）と、それぞれ例えば発光ダイオードからなり１個ずつのスイッチ本体２１に対応してスイッチ本体２１毎に２個ずつ設けられ後述する導光部４１のうちの１個ずつとともに発光部を構成し対応するスイッチ本体２１に関係データによって関係付けられた負荷の動作状態を発光状態によって表示する１６個の発光素子２２（図２には１個のみ図示）と、通信部１１に受信された伝送信号Ｖｓやスイッチ本体２１に受け付けられた操作入力に応じて通信部１１と各発光素子２２とをそれぞれ制御する制御部１２とを備える。さらに、本実施形態は、それぞれスイッチ本体２１のアドレスを設定するためのアドレス設定器（図示せず）との間で例えば赤外光を媒体とする光信号を送受信する２個の光通信部１３（図２には１個のみ図示）を備える。制御部１２は、各スイッチ本体２１のアドレスが格納されるメモリ（図示せず）を有しており、スイッチ本体２１のアドレスを指示する光信号が光通信部１３に受信されたとき、該光信号に応じて、上記メモリに格納された各スイッチ本体２１のアドレスを書き換える。つまり、制御部１２には、光通信部１３への光信号によって各スイッチ本体２１のアドレスがそれぞれ設定される。
【００３０】
通信部１１と光通信部１３と制御部１２との各回路部品、並びに、各スイッチ本体２１と各発光素子２２とは、それぞれ図３に示すプリント配線板２０に実装されて回路ブロック２を構成している。以下、上下方向は図３を基準とし、図３の左上−右下方向を左右方向と呼び、図３の左下−右上方向を前後方向と呼ぶ。つまり、プリント配線板２０の厚さ方向は前後方向と呼ぶ。
【００３１】
スイッチ本体２１は、上下方向に４列、左右方向に２列並べて配置されている。
【００３２】
各光通信部１３は、それぞれ、例えば赤外光を媒体とする光信号を送信する通信用発光素子と、光信号を電気信号に変換する受光素子とが左右に並べられてなる受発光部２３と、上記の通信用発光素子を駆動する駆動回路（図示せず）と、上記の受光素子の出力に対して増幅やノイズ除去といった信号処理を行う信号処理回路（図示せず）とを有する。このような光通信部１３は周知技術で実現可能であるので、詳細な図示並びに説明は省略する。また、２個の受発光部２３はスイッチ本体２１の下側に左右に並べて設けられており、各受発光部２３はそれぞれ４個ずつのスイッチ本体２１の下側に位置している。ここで、上記のアドレス設定器は、一度に４個までの制御スイッチのアドレスを設定することができる仕様であって、受発光部２３に入力される光信号によって該受発光部２３の上側の４個のスイッチ本体２１のアドレスがそれぞれ設定されるようになっている。
【００３３】
ここで、各スイッチ本体２１について、それぞれ、対応する２個の発光素子２２はスイッチ本体２１を左右から挟む配置で設けられている。また、上記の２個の発光素子２２は、例えばスイッチ本体２１の左側の発光素子２２の光色は緑色であってスイッチ本体２１の右側の発光素子２２の光色は赤色といったように、光色を互いに異ならせてある。そして、制御部１４は、スイッチ本体２１に関係データによって関係付けられた負荷がオン状態である期間には、該スイッチ本体２１に対応する発光素子２２のうち右側の発光素子２２を点灯させて左側の発光素子２２を消灯させ、スイッチ本体２１に関係データによって関係付けられた負荷がオフ状態である期間には、上記とは逆に、該スイッチ本体２１に対応する発光素子２２のうち右側の発光素子２２を消灯させて左側の発光素子２２を点灯させるように、各発光素子２２をそれぞれ制御する。すなわち、上記右側の発光素子２２は後述する導光部４１とともに請求項におけるオン発光部を構成し、上記左側の発光素子２２は後述する導光部４１とともに請求項におけるオフ発光部を構成する。
【００３４】
通信部１１及び制御部１２は、それぞれ周知技術によって実現可能であるので、詳細な図示並びに説明は省略する。
【００３５】
さらに、本実施形態は、図４に示すようにプリント配線板２０を収納するハウジング３を備える。ハウジング３は、前面が開口した直方体形状のボディ３１と、前後に扁平な形状であってボディ３１の前面の開口を閉塞する形でボディ３１に機械的に結合するカバー３２とを備える。ボディ３１とカバー３２とはそれぞれ例えば合成樹脂成型品からなる。ボディ３１の左右の壁には、それぞれ前端部に上下に並べて結合片３１ａが前方へ突設され、各結合片３１ａの後端部には、それぞれ上下に長い結合穴３１ｂが左右に貫設されている。また、カバー３２の左右の両側面には、それぞれ前後両側に開放された結合溝３２ａが設けられ、各結合溝３２ａの底面にはそれぞれ上下に長い結合爪３２ｂが左右方向の外向きに突設されていて、各結合溝３２ａにそれぞれ１個ずつの結合片３１ａが導入されるとともに結合爪３２ｂが結合穴３１ｂに係入することにより、ボディ３１とカバー３２とは機械的に結合する。
【００３６】
また、ボディ３１の底面の上端部には一対のねじ端子３３が保持されており、各ねじ端子３３にはそれぞれ後側から一対の信号線Ｌｓのうちの一方ずつが接続され、一端が通信部１１に接続された電線（図示せず）が前側から接続される。つまり、通信部１１は上記電線とねじ端子３３とを介して信号線Ｌｓに接続される。各ねじ端子３３は、それぞれ、ねじ穴が前後に貫設されてボディ３１に例えば嵌合によって保持された端子板３３ａと、端子板３３ａとの間に信号線Ｌｓを挟持する座金が一体化され端子板３３ａのねじ穴に螺合する端子ねじ３３ｂとからなる。
【００３７】
さらに、カバー３２は、ＪＩＳ  Ｃ  ８３０４に規定された大角連用型の既成の取付枠が一体化されたような形状に形成されている。すなわち、カバー３２の上下両端部には、それぞれボディ３１よりも上下方向の外側に突出して壁面等の施工面（図示せず）へのハウジング３の固定に用いられる取付部３２ｃが設けられている。各取付部３２ｃにおいて、中央部には、それぞれ左右に長い長穴形状であって施工面に埋め込まれた埋込ボックス（図示せず）に螺合するボックスねじが挿通されるボックス穴３２ｄが前後に貫設されている。また、各取付部３２ｃにおいてボックス穴３２ｄの左右両側には、それぞれ、施工面がパネル材で形成されているときにパネル材を取付部３２ｃとの間で挟持する挟み金具（図示せず）を引掛け係止するための引掛け穴３２ｅが前後に貫設されている。さらに、各取付部３２ｃにおいてそれぞれボックス穴３２ｄよりも上下方向の外側となる位置には、それぞれプレート（図示せず）を取り付けるためのねじが挿通されるプレート穴３２ｆが前後に貫設されている。さらに、各取付部３２ｃにおいてプレート穴３２ｆの左右両側には、それぞれ、施工面に螺合する直付け用のねじが挿通される直付け穴３２ｇが貫設されている。
【００３８】
また、カバー３２には、それぞれ透光性を有し且つ弾性変形可能な合成樹脂からなる４個の導光部材４が上下に並べて保持されている。各導光部材４は、それぞれ、図５に示すように、左右に並べて４個設けられてそれぞれ１個ずつの発光素子２２の前側に位置して該発光素子２２の光を前方に出射させる導光部４１と、厚さ方向を前後方向に向けた扁平な形状であって４個の導光部４１間に架設された本体部４２とを有する。各導光部材４において、それぞれ、各導光部４１はそれぞれ本体部４２よりも前後両側に突出しており、本体部４２は各導光部４１よりも上下両側に突出している。カバー３２の前面には、それぞれ左右に長い長方形状であって１個ずつの導光部材４の本体部４２が収納される凹部３２ｈが、上下に並べて４個設けられている。各凹部３２ｈの底面には、それぞれ、導光部材４の各導光部４１が挿通される挿通穴３２ｉが前後に貫設されている。さらに、各導光部材４において、それぞれ本体部４２の上下両端部には、それぞれ２個ずつの係合部４３が後方へ突設されている。各係合部４３にはそれぞれ係合爪４３ａが上下方向の外向きに突設されており、各係合部４３において上下方向の外側の面の係合爪４３ａ以後の部位は、それぞれ後方へ向かって上下方向の内向きに傾斜した傾斜面となっている。また、挿通孔３２ｉの内周面において係合部４３に対応する４箇所には、それぞれ前後方向に開放された係合溝３２ｊが設けられている。導光部材４をカバー３２に取り付ける際には、図６に示すように前方から各係合爪４３ａをそれぞれ係合溝３２ｊに導入するようにして、本体部４２を凹部３２ｈに押し込む。すると、各係合部４３がそれぞれ上記の傾斜面を係合溝３２ｊの内面に摺接させながら後端部を下方へ変位させるように弾性変形する。やがて各係合爪４３ａがそれぞれ挿通穴３２ｉの後側の開後面よりも後側に至ると、図７に示すように各係合部４３がそれぞれ弾性復帰し、各係合爪４３ａがそれぞれカバー３２の後側に入り込む。つまり各係合部４３がそれぞれカバー３２（ハウジング３）に係合する。上記のように各係合部４３がそれぞれカバー３２に係合した状態では、カバー３２の前方への導光部材４の変位は各係合部４３の係合によって防止され、カバー３２の後方への導光部材４の変位は凹部３２ｈの底面への本体部４２の当接によって防止されることで、導光部材４はカバー３２に対して保持される。また、カバー３２に対する上下左右への導光部材４の変位（がたつき）は、凹部３２ｈの内周面への本体部４２の当接と、各係合溝３２ｊの内面への係合部４３の当接によって防止される。
【００３９】
さらに、カバー３２には、それぞれ１個ずつのスイッチ本体２１の前側に位置して前方からの押力をスイッチ本体２１の押釦に伝達する押釦ハンドル部５１を４個ずつ有する２個の押釦ハンドル部材５が上下に並べて保持されている。各押釦ハンドル部材５は、それぞれ例えば合成樹脂のような弾性を有する材料からなり、図８に示すように、カバー３２に対して固定される本体部５２と、本体部５２の左右にそれぞれ突設されて２個ずつの押釦ハンドル部５１を本体部５２に対して前後に変位可能に支持する２個のばね部５３とを有する。すなわち、上側の押釦ハンドル部材５は上側２列の４個のスイッチ本体２１に対応するものであり、下側の押釦ハンドル部材５は下側２列の４個のスイッチ本体２１に対応するものである。
【００４０】
各押釦ハンドル部材５において、それぞれ本体部５２の中央部には、２個の係合穴５２ａが上下に並べて前後に貫設されている。図９に示すように、カバー３２の後面において押釦ハンドル部材５の係合穴５２ａに対応する位置にはそれぞれ係合凸部３２ｋが後方へ突設されていて、各押釦ハンドル部材５は、図１０に示すように、それぞれ２個の係合凸部３２ｋが係合穴５２ａに挿入されて各係合凸部３２ｋがそれぞれ本体部５２に係合することにより、カバー３２に対して固定されている。
【００４１】
また、各押釦ハンドル部材５において、それぞれ本体部５２は、前方から見て左右を押釦ハンドル部５１に挟まれる位置（つまり、左右に並ぶ４個の導光部のうちの、左右方向の中央の２個の導光部４１に挟まれる位置）まで上下に延長されており、本体部５２の後面の上下両端部には、それぞれ表示用隔壁５４が後方へ突設されている。各表示用隔壁５４の後端は、それぞれ導光部４１の後端よりも後方に突出している。ここで、図１１に矢印Ａ１で示すように、左右方向の中央の２個の発光素子２２のうちの一方の光が、前記２個の発光素子２２のうちの他方の前側に位置する導光部４１に入射した場合、前方から見て前記導光部４１が発光して見えることにより、あたかも前記２個の発光素子２２のうちの他方が発光しているかのように誤認される可能性がある。これに対し、本実施形態では、表示用隔壁５４により、上記のような発光素子２２の光の誤った導光部４１への入射が抑制されるから、上記のような誤認が抑制される。
【００４２】
各押釦ハンドル部５１は、前方から見て左右に長い長方形状であって前面が本体部５２やばね部５３の前面よりも前方へ突出する押釦本体５１ａと、押釦本体５１ａの後端部から上下両側にそれぞれ突設された鍔部５１ｂと、押釦本体５１ａの後面の中央部から後方に突設されスイッチ本体２１の押釦に対向する押圧部５１ｃとを有する。すなわち、押釦本体５１ａの前面が押操作さればね部５３が弾性変形して押釦ハンドル部５１が後方へ変位すると、押圧部５１ｃの後面によってスイッチ本体２１の押釦が押圧されるようになっている。また、導光部材４には、それぞれ１個ずつの押釦ハンドル部５１の押釦本体５１ａが後方から挿通される２個の押釦挿通穴４０が前後に貫設されており、押釦本体５１ａは、カバー３２の挿通穴３２ｈと導光部材４の押釦挿通穴４０とに挿通されて前面をハウジング３の前面よりも前方へ突出させている。また、各鍔部５１ｂは、それぞれ導光部材４の係合部４３を避けるように切欠が設けられた形状となっている。ここで、押釦本体５１ａの前面（すなわち押釦ハンドル部５１の前面）は、左右方向の中央部が左右方向の両端部よりも後方に窪んだ曲面形状となっている。また、押釦ハンドル部５１が前方からの押力を受けておらずばね部５３が弾性変形していない状態では、図１２に示すように、各導光部４１の前面の前後位置はそれぞれ押釦ハンドル部５１の前面の左右両端部の前後位置と略一致しており、すなわち各導光部４１の前面はそれぞれ押釦ハンドル部５１の前面よりも前方に位置している。これにより、押釦ハンドル部５１よりも大きい例えば家具のような物体Ｍが前方から押し当てられても、その物体Ｍは導光部４１に当接することにより後方への変位を阻止されて押釦ハンドル部５１を押圧することがないから、上記のような物体Ｍによる誤操作が抑制される。また、押釦ハンドル部５１と導光部４１との対向面は、それぞれハウジング３に対する押釦ハンドル部５１の変位方向である前後方向に平行な平面となっており、且つ、押釦挿通穴４０を挟む各２個の導光部４１の間隔は、押釦ハンドル部５１の本体部５１ａの左右の寸法よりも僅かに大きい程度となっている。すなわち、本実施形態では、押釦ハンドル部５１は上下方向では挿通穴３２ｈの内面に挟まれて左右方向では導光部４１に挟まれることにより、押釦ハンドル部５１がハウジング３に対して前後にスライド可能にガイドされているのであり、例えば押操作されていないときの押釦ハンドル部５１の前端よりも導光部４１の前端を後方に位置させる場合に比べ、押釦ハンドル部５１のがたつきが抑制されている。
【００４３】
また、カバー３２の下端部には、それぞれ左右に長い長方形状の３個の窓穴３２ｌが左右に並べて前後に貫設されている。中央の窓穴３２ｌはカバー３２の左右方向の中央に位置し、左右の窓穴３２ｌはそれぞれ上下に並んだ４個ずつの押釦ハンドル部５１の下側に位置する。左側の受発光部２３は左側の窓穴３２ｌの後側に位置しており、右側の受発光部２３は右側の窓穴３２ｌの後側に位置していて、各受発光部２３にはそれぞれ前側に設けられた１個の窓穴３２ｌを通じて光信号が入射する。また、各窓穴３２ｌの後側の開口の周囲には、それぞれ信号用隔壁３２ｍが後方へ突設されている。この信号用隔壁３２ｍにより、例えば左側の窓穴３２ｌから入射した光信号が右側の受発光部２３に入射してしまうといったことが防止されている。
【００４４】
また、ハウジング３の前側には、前方から見てボックス穴３２ｄの上下位置までを覆う長方形状の化粧カバー６を着脱自在に取り付けることができる。化粧カバー６は、カバー３２の前側に被着されるカバー本体６１と、前方から見てカバー本体６１を覆う形でカバー本体６１の前側に着脱自在に結合する表カバー６２とからなる。カバー本体６１と表カバー６２とはそれぞれ例えば合成樹脂成型品からなる。カバー３２に対するカバー本体６１の結合や、カバー本体６１に対する表カバー６２の結合は、例えば凹凸係合のような周知技術によって実現可能である。
【００４５】
化粧カバー６について詳しく説明すると、カバー本体６１には、それぞれカバー３２の挿通穴３２ｉのうちの１個ずつに連通する長方形状の４個の挿通穴６１ａが上下に並べて前後に貫設されるとともに、下端の挿通穴６１ａの下側にはそれぞれカバー３２の窓穴３２ｌのうちの１個ずつに連通する長方形状の３個の窓穴６１ｂが左右に並べて前後に貫設されている。表カバー６２には、それぞれカバー本体６１の挿通穴６１ａのうちの１個ずつに連通し１個の制御スイッチに対応する１個の押釦ハンドル部５１の本体部５１ａと２個の導光部４１とがそれぞれ挿通される長方形状の８個の挿通穴６２ａが、上下方向に４列、左右方向に２列並べて、前後に貫設されている。すなわち、化粧カバー６がハウジング３に取り付けられた状態では、各押釦ハンドル部５１と各導光部４１とは、それぞれカバー本体６１の挿通穴６１ａと表カバー６２の挿通穴６２ａとを通じて化粧カバー６の前面よりも前方へ突出する。また、表カバー６２においてカバー本体６１の左右両端の窓穴６１ｂの前側となる２箇所には、それぞれ受発光部２３に入出力される光信号を通過させるように透明な材料で構成された信号用窓部６２ｂが設けられている。アドレス設定器によるアドレスの設定は、アドレス設定器が有する光通信部（図示せず）を、表カバー６２の信号用窓部６２ｂのうちアドレスを設定すべきスイッチ本体２１（制御スイッチ）に応じた一方の信号用窓部６２ｂに押し付けて行われる。
【００４６】
さらに、化粧カバー６には、それぞれスイッチ本体２１に関係データにより関係付けられた負荷（つまり、制御の対象となる負荷）の情報が記入される長方形のシート状のネームカード７が保持される。ネームカード７は例えば紙からなり、本実施形態では左右に並ぶ２個のスイッチ本体２１で１枚のネームカード７を共用として最大４枚までのネームカード７を使用可能となっている。詳しく説明すると、カバー本体６１の前面において各挿通穴６１ａの上側にはそれぞれ左方に開放されたカード用凹部６１ｃが設けられており、各ネームカード７はそれぞれカード用凹部６１ｃに収納され、各カード用凹部６１ｃが表カバー６２によって閉塞されることで各ネームカード７はそれぞれ化粧カバー６に保持される。また、表カバー６２においてカード用凹部６１ｃの前側となる４箇所にはそれぞれ透明な材料で構成された長方形状のカード用窓部６２ｃが設けられており、化粧カバー６に保持された各ネームカード７はそれぞれカード用窓部６２ｃを通じて視認可能となっている。さらに、各カード用凹部６１ｃの底面の左端部には、それぞれ前後に解放された半円形状の切欠６１ｄが設けられており、カード用凹部６１ｃに収納されたネームカード７をカード用凹部６１ｃから取り出す際には、ネームカード７において切欠６１ｄから後方に露出した左端部に指をかけることで、ネームカード７を容易にカード用凹部６１ｃから取り出すことができる。
【００４７】
上記構成によれば、オン発光部を構成する発光素子２２とオフ発光部を構成する発光素子２２とがスイッチ本体２１の左右の互いに異なる側に配置されていることにより、負荷のオン状態とオフ状態とが、前方から見て押釦ハンドル部５１の左右の互いに異なる側の導光部４１の発光で表示されることになる。従って、オン状態を表示する導光部４１とオフ状態を表示する導光部４１とを押釦ハンドル部５１の互いに同じ側に配置する場合に比べ、上記導光部４１間の距離を大きくすることができ、オン状態の表示とオフ状態の表示とを光色によって区別する必要がないから、色覚異常の人に対しても視認性の向上が可能となる。また、各導光部４１をそれぞれ対応する押釦ハンドル部５１に対して上下方向に並ぶ位置に配置する場合に比べ、導光部４１と押釦ハンドル部５１との対応関係が分かり易くなる。
【００４８】
また、スイッチ本体２１と押釦ハンドル部５１とが、それぞれ、上下方向に４列並べ、左右方向に２列並べて設けられていることにより、図３０に示した従来例のようにスイッチ本体２１や押釦ハンドル部５１を直線状に８個並べて設ける場合に比べ、押釦ハンドル部５１間の間隔を大きくとって誤操作を抑制することができる。
【００４９】
さらに、４個の押釦ハンドル部５１が設けられた押釦ハンドル部材５を用いていることにより、各押釦ハンドル部５１をそれぞれ個別の部品に構成する場合に比べて部品点数が減少して製造コストの低減が可能となっている。本実施形態では上記のように４個の押釦ハンドル部５１が設けられた押釦ハンドル部材５を２個用いたが、図１３及び図１４に示すように８個の押釦ハンドル部５１が設けられた押釦ハンドル部材５を１個用いるようにすれば、さらに部品点数が減少し製造コストのさらなる低減が可能となる。
【００５０】
また、本実施形態のハウジング３と化粧カバー６のカバー本体６１とは、それぞれ、図１５〜図２０に示すように制御スイッチ（すなわちスイッチ本体２１と押釦ハンドル部５１との組）を上下に並べて４個有する操作端末器１と共用可能となっている。図１５〜２０の例では、それぞれ１個の押釦ハンドル部５１からなる４個の押釦ハンドル部材５と、それぞれ２個の導光部４１と導光部４１間に設けられた１個の押釦挿通穴４０とを有する４個の導光部材４とが用いられている。本実施形態と図１５〜図２０の例とのいずれにおいても、カバー３２の挿通穴３２ｉは導光部材４と押釦ハンドル部材５とで閉塞される。
【００５１】
なお、各ネームカード７をそれぞれ化粧カバー６に保持する代わりに、図２１〜図２３に示すようにそれぞれネームカード７を保持する４個のネームカード保持部３２ｎをハウジング３に設けたり、図２４〜図２７に示すように各導光部材４にそれぞれネームカード７を保持するネームカード保持部４４を設けてもよい。詳しく説明すると、図２１〜図２３の例と図２４〜図２７の例とでは、それぞれ、化粧カバー６のカバー本体６１においてカード用凹部６１ｃが設けられる代わりに挿通穴６１ａが導光部４１と押釦ハンドル部５１とだけではなくネームカード７とネームカード保持部３２ｎ，４４とをも挿通可能な寸法形状とされ、カバー３２の前面において各挿通穴３２ｉの上側となる４箇所にはそれぞれネームカード７の後面に当接する直方体形状の台座凸部３２ｏが前方へ突設されている。さらに、各ネームカード保持部３２ｎ，４４は、それぞれ、ネームカード７を支持するとともにネームカード７の左右方向への変位を制限する断面上向きコ字形状の支持部３２ｐ，４４ａと、支持部３２ｐ，４４ａの左右両端部にそれぞれ設けられて後面がカバー３２の台座凸部３２ｏの前面よりも前方に位置してネームカード７の前方への変位を制限する前壁３２ｑ，４４ｂとからなる。すなわち、図２３及び図２７に矢印Ａ２で示すようにカバー３２の台座凸部３２ｏとネームカード保持部３２ｎ，４４の前壁３２ｑ，４４ａとの間に上方からネームカード７を導入することで、ネームカード７をハウジング３に対して保持させることができる。上記のようにネームカード保持部３２ｎ，４４をハウジング３や導光部材４４に設けて各ネームカード７をそれぞれハウジング３に対して保持させれば、化粧カバー６に各ネームカード７をそれぞれ保持させる場合に比べ、化粧カバー６の着脱時にネームカード７の位置ずれが発生しにくい。
【図面の簡単な説明】
【００５２】
【図１】本発明の実施形態を示す正面図である。
【図２】同上の概略構成を示すブロック図である。
【図３】同上を示す分解斜視図である。
【図４】同上において化粧カバーを取り外した状態を示す正面図である。
【図５】同上の導光部材を示す斜視図である。
【図６】同上の導光部材とカバーとを示す斜視図である。
【図７】同上において導光部材がカバーに取り付けられた状態の要部を示す断面図である。
【図８】（ａ）（ｂ）はそれぞれ同上における押釦ハンドル部材を示す斜視図であり、（ａ）は前側から見た状態を示し、（ｂ）は後側から見た状態を示す。
【図９】同上のカバーを示す斜視図である。
【図１０】同上において押釦ハンドル部材がカバーに取り付けられた状態を示す斜視図である。
【図１１】同上を示す断面図である。
【図１２】同上を示す下面図である。
【図１３】（ａ）（ｂ）はそれぞれ同上の変更例における押釦ハンドル部材を示す斜視図であり、（ａ）は前側から見た状態を示し、（ｂ）は後側から見た状態を示す。
【図１４】図１３の変更例において押釦ハンドル部材がカバーに取り付けられた状態を示す斜視図である。
【図１５】同上の部品を一部流用して制御スイッチを４個とした例を示す正面図である。
【図１６】図１５の例を示す分解斜視図である。
【図１７】図１５の例において化粧カバーを取り外した状態を示す正面図である。
【図１８】図１５の例の導光部材を示す斜視図である。
【図１９】図１５の例の導光部材とカバーとを示す斜視図である。
【図２０】図１５の例を示す下面図である。
【図２１】同上においてネームカバーをハウジングに保持するようにした変更例を示す分解斜視図である。
【図２２】図２１の例において化粧カバーを取り外した状態を示す斜視図である。
【図２３】図２１の例においてネームカバーを保持させる方法を示す説明図である。
【図２４】同上においてネームカバーを導光部材に保持するようにした変更例を示す分解斜視図である。
【図２５】図２４の例における導光部材を示す斜視図である。
【図２６】図２４の例において化粧カバーを取り外した状態を示す斜視図である。
【図２７】図２４の例においてネームカバーを保持させる方法を示す説明図である。
【図２８】遠隔監視制御システムの概略構成を示す説明図である。
【図２９】伝送信号の一例を示す説明図であり、（ａ）はデータ構造を示し、（ｂ）は波形の一例を示し、（ｃ）は割り込み信号の波形の一例を示す。
【図３０】従来の操作スイッチの一例を示す正面図である。
【図３１】従来の操作スイッチの別の例を示す正面図である。
【図３２】従来の操作スイッチの更に別の例を示す正面図である。
【符号の説明】
【００５３】
１  操作端末器
３  ハウジング
１１  通信部
１２  制御部
２１  スイッチ本体
２２  発光素子
４１  導光部
５１  押釦ハンドル部
ＣＵ  伝送制御装置
Ｌｓ  信号線
ＲＵ  制御端末器
【図１】
0004530072.tif 000002
【図２】
0004530072.tif 000003
【図３】
0004530072.tif 000004
【図４】
0004530072.tif 000005
【図５】
0004530072.tif 000006
【図６】
0004530072.tif 000007
【図７】
0004530072.tif 000008
【図８】
0004530072.tif 000009
【図９】
0004530072.tif 000010
【図１０】
0004530072.tif 000011
【図１１】
0004530072.tif 000012
【図１２】
0004530072.tif 000013
【図１３】
0004530072.tif 000014
【図１４】
0004530072.tif 000015
【図１５】
0004530072.tif 000016
【図１６】
0004530072.tif 000017
【図１７】
0004530072.tif 000018
【図１８】
0004530072.tif 000019
【図１９】
0004530072.tif 000020
【図２０】
0004530072.tif 000021
【図２１】
0004530072.tif 000022
【図２２】
0004530072.tif 000023
【図２３】
0004530072.tif 000024
【図２４】
0004530072.tif 000025
【図２５】
0004530072.tif 000026
【図２６】
0004530072.tif 000027
【図２７】
0004530072.tif 000028
【図２８】
0004530072.tif 000029
【図２９】
0004530072.tif 000030
【図３０】
0004530072.tif 000031
【図３１】
0004530072.tif 000032
【図３２】
0004530072.tif 000033